(57)【特許請求の範囲】
【請求項１】
液体窒素温度よりも高い臨界温度を有する力発生用高温超電導体に対し、同じく液体窒素温度よりも高い臨界温度を有する高温超電導体を用いた磁束ポンプで、超電導閉ループである励磁回路を構成し、該励磁回路の一部が液体窒素温度よりも高い臨界温度を有する高温超電導体を用いた高温超電導電磁石となっており、該高温超電導体で構成される部分を冷却し、超電導状態とした後に、前記磁束ポンプを動作させ、その時、前記励磁回路に誘起される永久電流が前記高温超電導電磁石を流れることによって発生する磁界を前記力発生用高温超電導体に印加し、該磁界を前記力発生用高温超電導体にピン止めさせることによって、前記力発生用高温超電導体を永久磁石化することを特徴とする高温超電導体の着磁方法。
【請求項２】
請求項１記載の高温超電導体の着磁方法において、前記励磁回路の高温超電導体で構成される部分と前記力発生用高温超電導体との冷却を独立に行うことのできる機構を用い、まず、前記励磁回路の高温超電導体で構成される部分を冷却して超電導状態とし、前記力発生用高温超電導体を十分冷却しない常電導状態下において前記励磁回路の駆動により発生する磁界を前記力発生用高温超電導体に印加し、次いで前記力発生用高温超電導体を十分冷却して超電導状態とすることを特徴とする高温超電導体の着磁方法。
【請求項３】
請求項１記載の高温超電導体の着磁方法において、前記励磁回路の高温超電導体で構成される部分と前記力発生用高温超電導体とで冷却を独立又は同時に行うことのできる機構を用い、前記励磁回路の高温超電導体で構成される部分と前記力発生用高温超電導体とが共に十分に冷却され超電導状態となっているときに、前記励磁回路が駆動されて発生する磁界を前記力発生用高温超電導体に印加することを特徴とする高温超電導体の着磁方法。
【請求項４】
請求項１、２又は３記載の高温超電導体の着磁方法において、前記励磁回路が前記力発生用高温超電導体と独立して設置されており、前記力発生用高温超電導体に磁界を印加する場合には、その近傍に前記励磁回路の全部又は前記高温超電導電磁石の部分を配置し、これ以外の場合には前記励磁回路を前記力発生用高温超電導体から遠ざける態様で用いることを特徴とする高温超電導体の着磁方法。
【請求項５】
請求項１、２又は３記載の高温超電導体の着磁方法において、前記励磁回路の少なくとも前記高温超電導電磁石の部分を前記力発生用高温超電導体の近傍に常に配置し、前記力発生用高温超電導体に磁界を印加する時にだけ前記励磁回路を駆動して磁界を発生させ、これ以外の時は前記励磁回路内部を流れる前記永久電流をゼロにし、磁界を発生させないことを特徴とする高温超電導体の着磁方法。
【請求項６】
請求項１、２又は３記載の高温超電導体の着磁方法において、前記励磁回路の少なくとも前記高温超電導電磁石の部分を前記力発生用高温超電導体の近傍に常に配置し、前記励磁回路を駆動して発生させた磁界を常に前記力発生用高温超電導体に印加するとにより、前記力発生用高温超電導体にピン止めされる磁界を増大させ、前記ピン止め磁界の減少を防止することを特徴とする高温超電導体の着磁方法。
【請求項７】
請求項６記載の高温超電導体の着磁方法において、前記力発生用高温超電導体を着磁し、浮上力、保持力、駆動力を発生させている間に、前記磁束ポンプを駆動して前記励磁回路中を流れる前記永久電流を増減し、前記力発生用高温超電導体に印加する磁界を増減することにより、前記力発生用高温超電導体が発生する力や浮上時の安定位置を変化させることを特徴とする高温超電導体の着磁方法。
【請求項８】
高温超電導体の着磁装置において、
（ａ）液体窒素よりも高い臨界温度を有する高温超電導体を用いた磁束ポンプからなる超電導閉ループが構成される励磁回路と、
（ｂ）該励磁回路の一部を構成する液体窒素よりも高い臨界温度を有する高温超電導体を用いた高温超電導電磁石と、
（ｃ）該高温超電導電磁石に内装される液体窒素温度より高い臨界温度と強力なピン止め力を有する力発生用高温超電導体とを具備することを特徴とする高温超電導体の着磁装置。
【請求項９】
請求項８記載の高温超電導体の着磁装置において、前記励磁回路の高温超電導体で構成される部分の冷却容器と、該冷却容器とは分離された前記力発生用高温超電導体の冷却容器を具備することを特徴とする高温超電導体の着磁装置。
【請求項１０】
請求項８記載の高温超電導体の着磁装置において、前記励磁回路が前記力発生用高温超電導体と独立して設置されており、前記励磁回路を前記力発生用高温超電導体から離脱可能な手段を具備することを特徴とする高温超電導体の着磁装置。
【発明の詳細な説明】
【０００１】
【産業上の利用分野】
本発明は、産業用や医療用の非接触支持機構、アクチュエータ、モータ等に用いられる高温超電導体に磁界をピン止めさせ、着磁するための着磁方法及びその装置に関するものである。
【０００２】
【従来の技術】
従来の高温超電導体、特にバルク高温超電導体を用いた応用機器には、特開平４−７８３１６号公報に開示される磁気軸受、特開平５−１５０１１号公報に開示される磁気浮上運搬装置などがある。
これらは高温超電導体の磁界ピン止め力を利用し安定浮上力を得ているもので、この高温超電導体と永久磁石の組み合わせにより、制御を行うことなく非接触で安定な浮上を実現するものである。構造的には、特開平４−７８３１６号公報に開示される高温超電導磁気軸受では、回転子側に永久磁石、固定子側に高温超電導体が配置されており、特開平５−１５０１１号公報に開示される磁気浮上運搬装置では、浮上体側に高温超電導体、軌道側に永久磁石が配置されている。
【０００３】
これらの機器では、前述のとおり高温超電導体のピン止め力を利用しているため、高温超電導体に何らかの形で磁界を印加しピン止めさせる、即ち、高温超電導体の着磁を行う必要がある。これには、回転子或いは軌道に配置された永久磁石の発生磁界を用いている。
その手順は、次のようになっている。まず、永久磁石（＝回転子、軌道）と冷却前の高温超電導体（＝固定子、浮上体）とを、所定の空隙を介して配置し、常電導状態である高温超電導体に永久磁石の磁界を印加しておく。この時、高温超電導体は常電導状態にあり反磁性を持たないので、磁界はそのまま高温超電導体内に侵入している。その状態で高温超電導体側を、臨界温度以下に冷却（磁場中冷却）することにより、高温超電導体内に存在していた磁界の大部分がピン止めされる。これ以降は、永久磁石と高温超電導体の相対位置を変化させようとすると、これを妨げるような復元力が双方間に働き、非接触で安定な浮上が実現される。
【０００４】
一方、特開平５−２６２９６号公報に開示されるように、通常の電磁石を用いて高温超電導体に磁界を印加し、その磁界をピン止めさせる方法もある。
この発明は、先の発明での構成と異なり、高温超電導体を浮上側、固定側双方に配置し、両者のピン止め力により安定な浮上を得るもので、高浮上力化、浮上装置の構造の簡素化を図ろうとするものである。
【０００５】
この発明では、高温超電導体のピン止めを次のようにして行っている。磁界を印加しない状態で臨界温度以下に冷却（ゼロ磁場冷却）された高温超電導体には、その後、近傍に配置された電磁石でパルス磁場が与えられ、この磁界がピン止めされる。或いは、上記の方法で磁界をピン止めした高温超電導体を用いて、もう一方の高温超電導体に磁界を与え、ピン止めさせる。このようにして磁界をピン止めした一対の高温超電導体、いわゆる高温超電導永久磁石を用い、浮上力、復元力を得ている。
【０００６】
これ以外に、本願の発明者によって既に提案されている特願平６−６１５４号公報に開示されているような、磁界をピン止めした高温超電導体と強磁性体を組み合わせて磁気軸受や磁気浮上装置を構成し、一般に、装置内で用いられる永久磁石を削減或いは不要とすることにより、装置全体の低コスト化、高剛性化を図ったものがある。
【０００７】
この発明では、強磁性体が固定側で、高温超電導体が浮上側、或いはその逆の配置となり双方間に働く磁気的吸引力を浮上安定力として用いている。この力の発生に用いる高温超電導体は、予め永久磁石或いは電磁石を用いて磁場中冷却することにより、磁界のピン止め、即ち着磁を行っている。
【０００８】
【発明が解決しようとする課題】
ところが、特開平４−７８３１６号公報や特開平５−１５０１１号公報のような、高温超電導体の相方として配置される永久磁石の発生磁界を用いて高温超電導体を着磁する方法では、使用する永久磁石の磁界強度と、この磁石と高温超電導体をどれだけ近づけて冷却するかで、ピン止めされる磁界の大きさが決定され、これにより浮上力や復元力の強さが決定されてしまう。これら力の大きさを変えるためには、使用する永久磁石を取り替える必要がある。
【０００９】
また、特開平５−２６２９６号公報のように通常の電磁石を用いて高温超電導体を着磁する方法では、浮上状態でも必要に応じて高温超電導体に磁界を印加し、浮上力や浮上距離などを変化させることが可能である。しかし、高温超電導体と電磁石を隣接して配置すると、電磁石に電流を流した時に発生するジュール熱が冷媒の急激な蒸発、或いは高温超電導体の温度上昇を招く。
【００１０】
また、電磁石に大電流を流すためにリード線を大きくする必要があり、このリード線による室温部からの熱侵入が大きくなり、同じように高温超電導体の温度上昇を招く。すると高温超電導体のピン止めが低下し、悪くすると臨界温度を越えて超電導状態が破れる危険性があった。
高温超電導体と冷媒を収めた保冷容器の外に電磁石を配置する方法もあるが、磁界発生源が高温超電導体から離れることでピン止めされる磁界も低くなってしまう。ジュール熱の伝搬による冷媒の蒸発や高温超電導体の温度上昇も、完全には避けられない。また、何れにせよ着磁時に強力な磁界を必要とするために、電磁石の導体巻数が多くなり、高抵抗、高インダクタンスとなる。すると、この電磁石に電流を供給するための大容量電源が必要となり、磁場中冷却など長時間高温超電導体に磁界を印加する場合、多量の電気エネルギーが必要となる。
【００１１】
これに対し、特開平５−２６２９６号公報では、ゼロ磁場冷却した高温超電導体に電磁石でパルス磁場を印加する、としている。確かに、磁場をパルス的に発生させることにより、必要とされる電気エネルギーを低減させることは可能であるが、ジュール熱発生の問題は避けられない。また、高インダクタンスの電磁石の場合、短い時間でパルス状の電流を流すためには、電源電圧を高くする必要がある。更に、既知のとおり、高温超電導体にピン止めされる磁界は、ゼロ磁場冷却後の高温超電導体に磁界を印加した場合、同じ磁界を用いて磁場中冷却を行った場合よりも弱くなる。ピン止め磁界が弱いと発生する磁気力も弱く、従って、磁場中冷却の場合に比べて浮上力や復元力、ダンピングが小さくなってしまう。
【００１２】
また、特開平６−６１５４号公報では、その特徴として浮上装置内から永久磁石を排除することのできる点が挙げられているが、永久磁石を用いて高温超電導体を磁場中冷却した場合、この永久磁石を高温超電導体近傍から何らかの方法で取り去らなければならない。しかし、磁場中冷却後の高温超電導体と永久磁石との間には強力な復元力が働くため、双方を引き離すのは容易なことではない。
【００１３】
一方、通常の電磁石を用いて磁場中冷却する場合は、前述のようにジュール熱の発生や大容量電源を必要とする問題が避けられない。
以上説明したように、今のところ簡便で強力に高温超電導体を着磁する方法は確立されていない。現在、高温超電導体のピン止め浮上を超電導リニアモーターカーに応用する動きもあり、今後は高温超電導体の着磁を、どの様に行うかが重要な課題となってきている。
【００１４】
本発明は、上記状況に鑑みて、高温超電導体に印加する磁界の大きさを自由に変えられ、それに伴う発熱が皆無に等しく、また強力な磁界が得られ、且つ、この磁界を維持する間には電気エネルギーをほとんど消費しないような、高温超電導体の着磁方法及びその装置を提供することを目的とする。
【００１５】
【課題を解決するための手段】
本発明は、上記目的を達成するために、
（１）高温超電導体の着磁方法において、磁気浮上装置や磁気軸受、アクチュエータ、電磁モータの浮上力、保持力、駆動力、ダンピング発生等のために用いられる、液体窒素温度より高い臨界温度と強力なピン止め力を有する高温超電導体（以下、力発生用高温超電導体と呼ぶ）に対し、同じく、液体窒素よりも高い臨界温度を有する高温超電導体を用いた磁束ポンプで、超電導閉ループである励磁回路を構成し、前記励磁回路の一部が液体窒素よりも高い臨界温度を有する高温超電導体を用いた高温超電導電磁石となっており、前記励磁機構の高温超電導体で構成される部分を液体窒素などの冷媒で冷却し超電導状態とした後に、前記磁束ポンプを動作させ、その時、前記励磁回路に誘起される永久電流が、前記高温超電導電磁石を流れることによって発生する磁界を、前記力発生用高温超電導体に印加し、この前記磁界を前記力発生用高温超電導体にピン止めさせることによって、前記力発生用高温超電導体を永久磁石化するようにしたものである。
【００１６】
（２）上記（１）記載の高温超電導体の着磁方法において、前記励磁回路の高温超電導体で構成される部分と、前記力発生用高温超電導体とで冷却が独立に行うことのできる機構を用い、まず前記励磁回路の高温超電導体で構成される部分を冷却して超電導状態とし、前記力発生用高温超電導体を十分冷却しない状態、即ち、常電導状態において前記励磁回路の駆動により発生する磁界を、前記力発生用高温超電導体に印加し、次いで、前記力発生用高温超電導体を十分冷却して超電導状態とするようにしたものである。
【００１７】
（３）上記（１）記載の高温超電導体の着磁方法において、前記励磁回路の高温超電導体で構成される部分と前記力発生用高温超電導体とで冷却を独立又は同時に行うことのできる機構を用い、前記励磁回路の高温超電導体で構成される部分と前記力発生用高温超電導体とが共に十分に冷却され超電導状態となっているときに、前記励磁回路が駆動されて発生する磁界を前記力発生用高温超電導体に印加するようにしたものである。
【００１８】
（４）上記（１）、（２）又は（３）記載の高温超電導体の着磁方法において、前記励磁回路が前記力発生用高温超電導体と独立して設置されており、前記力発生用高温超電導体に磁界を印加する場合には、この近傍に前記励磁回路の全部又は前記高温超電導電磁石の部分を配置し、これ以外の場合には前記励磁回路を前記力発生用高温超電導体から遠ざける態様で用いるようにしたものである。
【００１９】
（５）上記（１）、（２）又は（３）記載の高温超電導体の着磁方法において、前記励磁回路の少なくとも前記高温超電導電磁石の部分を前記力発生用高温超電導体の近傍に常に配置し、前記力発生用高温超電導体に磁界を印加する時にだけ前記励磁回路を駆動して磁界を発生させ、これ以外の時は前記励磁回路内部を流れる前記永久電流をゼロにし、磁界を発生させないようにしたものである。
【００２０】
（６）上記（１）、（２）又は（３）記載の高温超電導体の着磁方法において、前記励磁回路の少なくとも前記高温超電導電磁石の部分を前記力発生用高温超電導体の近傍に常に配置し、前記励磁回路を駆動して発生させた磁界を常に前記力発生用高温超電導体に印加するとにより、前記力発生用高温超電導体にピン止めされる磁界を増大させ、かつ前記力発生用高温超電導体が組み込まれている磁気回路の磁気抵抗増加などに起因する、前記ピン止め磁界の減少を防止するようにしたものである。
【００２１】
（７）上記（６）記載の高温超電導体の着磁方法において、前記力発生用高温超電導体を着磁し、浮上力、保持力、駆動力を発生させている間に、前記磁束ポンプを駆動して前記励磁回路中を流れる前記永久電流を増減し、即ち前記力発生用高温超電導体に印加する磁界を増減することにより、前記力発生用高温超電導体が発生する力や浮上時の安定位置を変化させるようにしたものである。
【００２２】
（８）高温超電導体の着磁装置において、液体窒素よりも高い臨界温度を有する高温超電導体を用いた磁束ポンプからなる超電導閉ループが構成される励磁回路と、この励磁回路の一部を構成する液体窒素よりも高い臨界温度を有する高温超電導体を用いた高温超電導電磁石と、この高温超電導電磁石に内装される液体窒素温度より高い臨界温度と強力なピン止め力を有する力発生用高温超電導体とを設けるようにしたものである。
【００２３】
（９）上記（８）記載の高温超電導体の着磁装置において、前記励磁回路の高温超電導体で構成される部分の冷却容器と、該冷却容器とは分離された前記力発生用高温超電導体の冷却容器を設けるようにしたものである。
（１０）上記（８）記載の高温超電導体の着磁装置において、前記励磁回路が前記力発生用高温超電導体と独立して設置されており、前記励磁回路を前記力発生用高温超電導体から離脱可能な手段を設けるようにしたものである。
【００２４】
【作用】
本発明によれば、磁束ポンプを駆動した場合に誘起される永久電流が高温超電導電磁石を流れることによって発生する磁界を、力発生用高温超電導体に印加し、この磁界を力発生用高温超電導体にピン止めさせることによって、高温超電導体の着磁、即ち永久磁石化を引き起こすものである。
【００２５】
上述したように、励磁回路内の永久電流が増大する、又は減少するように磁束ポンプを駆動することにより、同回路内の高温超電導電磁石の発生磁界、即ち高温超電導体に印加する磁界の大きさを自由に変えることができる。また、励磁回路が超電導閉ループを構成しているため、磁界発生に伴う発熱は皆無に等しく、また磁束ポンプに駆動力を導入する、或いは電力を供給する場合も、室温部からの熱侵入を十分小さくすることができるため、高温超電導体の温度上昇を抑えることができる。
【００２６】
更に、高温超電導導体の電流密度が高いため、小型、巻数の少ない高温超電導電磁石でも強力な磁界を発生させることができる。加えて、励磁回路内の電流は永久電流であり、減衰がほとんどないので、磁界を一定に保持する間は磁束ポンプを駆動、或いは電気エネルギーを供給する必要がない。
このように、高温超電導体に印加する磁界を、磁界発生源からの発熱を気にすることなく、長期間保持することができ、或いはこの磁界の大きさを任意に変化させることができるので、高温超電導体を着磁する場合、磁場中冷却とゼロ磁場冷却後に磁界を印加する法のどちらにも対応させることができる。
【００２７】
【実施例】
まず、本発明の実施例を述べる前に磁束ポンプについて説明する。
磁気浮上装置や磁気軸受、アクチュエータ、電磁モータの浮上力、保持力、駆動力、ダンピング発生等のために用いられる高温超電導体（以下、力発生用高温超電導体と呼ぶ）に対し、同じく高温超電導体で構成された、超電導電磁石を含む磁束ポンプ（フラックスポンプ）からなる励磁回路を用いる。
【００２８】
磁束ポンプは、周知のとおり、超電導電磁石を含む超電導閉回路へ少量の磁束を反復して汲み込むことで大磁束を蓄積し、大電流を超電導電磁石に誘起する装置である。誘起される電流の大きさは、磁束を導入する回数、この磁束の量及び方向を変えることで変化させることができる。
また、磁束ポンプ自体が超電導閉回路であるため、ポンプの駆動を止めても回路内の電流は永久電流となって流れつづける。
【００２９】
従って、定常状態では、永久電流の僅かな減少分を補う以外は電気エネルギーを供給する必要がない。金属系超電導体（低温冷媒である液体ヘリウムを使用するところから低温超電導体とも呼ばれる）からなる種々の構成が提案されているが、それらは磁束導入法の違いにより発電型（又は移動磁界型）磁束ポンプと整流型磁束ポンプとに大別される。
【００３０】
発電型は超電導板上に磁界を移動させて閉回路内に磁束を汲み込むものであり、整流型は超電導変圧器と超電導スイッチ（又は超電導整流器）から構成される半波或いは全波整流回路である。
両型とも、非接触通電、低発熱、熱絶縁、電流保持性能を持ち、同じく金属系超電導体を使用した超電導発電機や超電導電磁石の電流供給源として有望視されている。
【００３１】
以下、磁束ポンプの原理を、図を参照しながら詳細に説明する。
図７は、磁束ポンプの一般的な動作原理を説明するための図である。
この図に示すように、超電導閉回路である磁束ポンプ１は主に超電導スイッチ２ａ，２ｂと超電導電磁石３とで構成される。超電導スイッチ２ａ，２ｂは、普通臨界磁界の低い超電導体でできており、オフ、つまり高抵抗にする時はこれに磁界を印加して常電導にし、オンにするときは磁界を取り去り超電導に戻す。これ以外に、熱を印加する、或いは機械的に接点を開くことにより超電導スイッチをオフにするものである。超電導電磁石を励磁するには、
（１）まず、図７（ａ）に示すように、磁束ポンプ１全体を冷却して超電導状態にした後、超電導スイッチ２ａをオフ、超電導スイッチ２ｂをオンにする。
【００３２】
（２）次に、図７（ｂ）に示すように、超電導回路ａｂｅｆに磁束４を導入する。磁束４を導入する方法として、棒状永久磁石を回路に近づけたり、電磁石を置いて、その磁束が回路に鎖交するようにしたものなどがある。
（３）次に、図７（ｃ）に示すように、超電導スイッチ２ａをオンにする。
（４）続いて、図７（ｄ）に示すように、超電導スイッチ２ｂをオフにする。
【００３３】
（５）次いで、図７（ｅ）に示すように、磁束を取り去る。この時、超電導閉回路に鎖交する磁束量は変化しないという性質のため、回路ａｃｄｆには取り去られた磁束４の磁束量を維持するための電流５が誘導される。Ｌを回路ａｃｄｆのインダクタンス（超電導電磁石３のインダクタンスにほぼ等しい）、磁束４の量をφとすると、回路内に誘導される電流はΔＩ＝φ／Ｌである。このサイクルを繰り返せば、超電導電磁石３を流れる電流５は増加していく。或いは、超電導スイッチ２ａ，２ｂの操作により、回路内に導入された磁束４の一部を放出したり、それまでと逆の向きの磁束を汲み込むことにより、電流５を減少させたり逆向きにしたりすることができる。
【００３４】
図８は上述の原理を応用した発電型磁束ポンプの一例の動作原理図である。
この磁束ポンプは、主に超電導薄板１１と超電導電磁石１２、両者をつなぐ超電導導体１３からなり、超電導閉回路を構成している。また、超電導薄板１１に常電導領域を発生させ、超電導閉回路内に磁束を汲み込むために、超電導薄板１１の近傍に磁界発生用棒磁石１４（以下、単に棒磁石という）が配置される。この棒磁石１４は、一般にその磁極近傍での磁束密度Ｂｍが、超電導薄板１１、超電導電磁石１２、超電導導体１３のそれぞれの臨界磁束密度Ｂｃ１１，Ｂｃ１２，Ｂｃ１３と比較して、
Ｂｃ１２，Ｂｃ１３＞Ｂｍ＞Ｂｃ１１
なる関係を持つよう材料や形状が決定される。
【００３５】
この磁束ポンプの動作原理を説明すると、次のようになる。
超電導薄板１１に棒磁石１４を近付けると、棒磁石１４の磁界で超電導薄板１１に常電導領域（ノーマルスポット）１５が発生し、そこに磁束（図示せず）が通る。図中（ａ）→（ｄ）のように棒磁石１４を動かすと、それにつれて常電導領域１５が超電導薄板１１内を移動する。その結果、超電導薄板１１と超電導導体１３、超電導電磁石１２で構成された超電導閉回路に磁束が汲みこまれる。
【００３６】
この後、図中（ｅ）のように棒磁石１４を遠ざけると、汲み込まれた磁束を維持するため回路内に電流が誘導される。発電型磁束ポンプでは、図７の回路ａｂｅｆに相当する超電導薄板１１が、超電導スイッチ２ａ，２ｂのオンオフと磁束の出し入れを同時に行っていると考えることができる。棒磁石１４を動かすための別途機構が必要であるが、外部から駆動力を導入する場合、熱絶縁性の高い材料を用いることで、低温部への熱侵入を低減することができる。
【００３７】
図９は発電型ポンプの別の例の動作原理図である。
この磁束ポンプでも、図８と同様に超電導部分は主に超電導薄板２１と超電導電磁石２２、両者をつなぐ超電導導体２３からなる。超電導薄板２１近傍に配置される磁界発生部は、図８の永久磁石から磁界発生用電磁石２４に置き代わっている。この磁界発生用電磁石２４は複数の電磁石で構成し、多相交流を整流器２５で整流した電源、或いは直流バイアスを加えた交流電源で励磁され、進行磁界を発生させる。この磁界発生用電磁石２４は、磁極近傍、超電導薄板２１が配置される位置での磁束密度が、超電導薄板２１の臨界磁束密度より高くなるよう設計されているので、超電導薄板２１内に発生する常電導領域（図示せず）は進行磁界に合わせて移動する。図８の例と異なり、磁界発生部を移動させる必要がないので、可動部を持たない発電型磁束ポンプとすることができる。また、室温部から磁界発生用電磁石２４に電力を供給するためのリード線が必要であるが、高温超電導体に直接磁界を印加する場合に比べて電流が小さくて済むので、細いリード線とすることができ、室温部からの熱侵入を小さくすることができる。
【００３８】
図１０は全波整流型磁束ポンプの一例の動作原理図である。
この磁束ポンプは主に一次側コイル３１ａと二次側コイル３１ｂを有する超電導変圧器３１、超電導電磁石３２、超電導スイッチ３３ａ，３３ｂ、小電流の交流電源３４からなり、この交流電源３４を含む電源部分３６が室温部、これ以外は低温部となる。
【００３９】
この磁束ポンプの動作原理を説明すると、次のようになる。
まず、低温部を冷却して超電導状態とし、室温部から超電導変圧器３１の一次側コイル３１ａに交流を印加する。交流の極性が変わった時、もしそれまで超電導スイッチ３３ａがオンで、超電導スイッチ３３ｂがオフであったとすると、超電導スイッチ３３ｂをオンにして超電導スイッチ３３ａをオフにし、次に極性が変わったときには、また超電導スイッチ３３ａをオンにして超電導スイッチ３３ｂをオフにする。
【００４０】
この動作を繰り返すことにより、回路の一部ｃｆには常に直流電圧が生じ、超電導電磁石３２には直流電流３５が供給される。室温から超電導変圧器３１の一次側コイル３１ａに電力を供給するためのリード線が必要となるが、高温超電導体に直接磁界を印加する場合に比べて電流が小さくて済むので、細いリードとすることができ、室温部からの熱侵入を小さくすることができる。
【００４１】
以下、本発明の実施例を図を参照しながら詳細に説明する。
図１は本発明の第１実施例を示す高温超電導体着磁装置の斜視図である。なお、この図において、保冷容器や各部材の支持機構は省略している。
図１に示すように、高温超電導体薄板４１と高温超電導導体４３、高温超電導電磁石４２（一部破断面で図示）で発電型磁束ポンプを構成し、励磁用超電導閉回路としている。また、高温超電導電磁石４２の内側には、力発生用高温超電導体４６を内装している。高温超電導薄板４１の近傍に配置される回転機構４７の先端には、磁界発生用永久磁石４４が固定されている。この磁界発生用永久磁石４４は、高温超電導薄板４１の直下を、一端から超電導閉ループへ、その後閉回路の外側へと向かうよう移動する。また、この磁界発生用永久磁石４４は、その磁極近傍での磁束密度Ｂｍが、高温超電導薄板４１、高温超電導電磁石４２、高温超電導導体４３の各臨界磁束密度Ｂｃ４１，Ｂｃ４２，Ｂｃ４３と比較して、
Ｂｃ４２，Ｂｃ４３＞Ｂｍ＞Ｂｃ４１
なる関係を持つよう材料や形状が決定されている。
【００４２】
この着磁装置の高温超電導体でできた部分を臨界温度以下に冷却して超電導状態とし（ゼロ磁場冷却）、磁界発生用永久磁石４４を回転機構４７により、図のように移動させると、磁界発生用永久磁石４４が高温超電導体薄板４１の下に来た時点で常電導領域４５が発生し、高温超電導体薄板４１を磁束（図示せず）が貫通する。この常電導領域４５が磁界発生用永久磁石４４の動きに合わせて高温超電導体薄板４１上を移動し、磁界発生用永久磁石４４が高温超電導体薄板４１の下を通り抜けた時点で、超電導閉回路内に磁束が取り込まれる。
【００４３】
更に、磁界発生用永久磁石４４が移動し、超電導閉回路内に磁界発生源が無くなると、先に取り込まれた磁束を維持するために、超電導閉回路内に電流が流れる。ここで、超電導閉回路の電気抵抗はゼロに等しいので、この電流は永久電流となって流れ続ける。磁界発生用永久磁石４４の移動による超電導閉回路内への磁束の汲み込みを繰り返すと、永久電流が増大し、これが流れる高温超電導電磁石４２の発生効果が増大する。
【００４４】
この磁界の大きさが力発生用高温超電導体４６の下部臨界磁界Ｈｃｌを越えると、この磁界が力発生用高温超電導体４６の内部に侵入・ピン止めされ、着磁を起こすことができる。このまま永久電流が流れたままとし、バイアスとして磁界を印加し続けると、力発生用高温超電導体４６は現状の磁化が維持され、また発生力、特に吸引力の増強を図ることができる。或いは、超電導閉回路を開放する、汲み込まれた磁束を排出する、逆向きの磁束を汲み込む等の方法で永久電流をゼロにしても、力発生用高温超電導体４６の着磁状態はある程度維持される。
【００４５】
更に、力発生用高温超電導体４６で浮上力、保持力、駆動力を発生させている間も、磁束ポンプを駆動して永久電流を増減し、力発生用高温超電導体４６に印加する磁界を増減することにより、力発生用高温超電導体４６が発生する力や浮上時の安定位置を変化させることができる。
図２は図１に示した高温超電導体着磁装置の構成を説明するための回路図である。なお、図１と同じ番号を用いた部分は、図１の同部分に相当する。
【００４６】
この図に示すように、高温超電導体薄板４１に仮想的に存在する高温超電導スイッチ４１ａ，４１ｂの開閉動作により汲み込まれた、常電導領域４５を貫通する磁束（図示せず）が矢印の向きに移動し、高温超電導体薄板４１と高温超電導導体４３、高温超電導電磁石４２で構成される超電導閉回路に永久電流４８が流れる。この永久電流４８が高温超電導電磁石４２を流れることにより発生する磁界で、内側に配置された力発生用高温超電導体４６を着磁することができる。
【００４７】
この実施例に使用した磁界発生用永久磁石４４は、図１に示した棒状永久磁石である必要は無く、角型永久磁石やリング型永久磁石、或いは種々の形状の電磁石でも良い。また、力発生用高温超電導体４６や高温超電導電磁石４２の形状は、図１に示したものに必ずしも限定されることはなく、その変形は自由であることは言うまでもない。
【００４８】
なお、磁束ポンプは、形の上で様々な構成がよく知られており、この実施例にも別の構成の磁束ポンプを適用することができる。
図３は本発明の第２実施例を示す高温超電導体着磁装置の斜視図であり、図３（ａ）はその高温超電導体着磁装置の全体構成図、図３（ｂ）はその高温超電導体着磁装置の高温超電導体スイッチの構成図である。なお、ここでは保冷容器や各部材の支持機構は省略している。
【００４９】
この図３（ａ）に示すように、高温超電導変圧器５１と高温超電導導体５５、高温超電導電磁石５２（一部断面で図示）で全波整流型磁束ポンプを構成し、励磁用閉回路としている。また、高温超電導電磁石５２の内側には力発生用高温超電導体５６が内装されている。高温超電導変圧器５１の一次側コイル５１ａには、電源端子５１ｃを介して外部室温空間から高電圧小電流の交流を供給する。二次側コイル５１ｂは巻数の両端及び中間点から端子が出ており、この中間点は高温超電導電磁石５２の一端に接続されており、二次側コイル５１ｂの両端は高温超電導スイッチ５３ａ，５３ｂを介した後に接続し、高温超電導電磁石５２の他端に接続されている。
【００５０】
この高温超電導体スイッチ５３ａ，５３ｂは、図３（ｂ）に示すように、高温超電導導体５５を取り巻く非磁性絶縁体製巻枠５７と、これに巻かれた高抵抗発熱体５８とから構成されており、高抵抗発熱体５８に電流端子５４ａ（５４ｂ）から電流を流すことにより発生する熱で、高温超電導導体５５の超電導状態を破り、超電導閉回路内に電気抵抗を発現させて高温超電導スイッチのオフを行う。
【００５１】
図４は図３に示した高温超電導体着磁装置の基本動作を説明するための回路図である。なお、図４においては、図３と同じ番号を用いた部分は、図３の同部分に相当する。
この動作原理を説明すると、次のようになる。
まず、低温部を冷却して超電導状態とし（ゼロ磁場冷却）、室温部から高温超電導変圧器５１の一次側コイル５１ａに電源端子５１ｃを介して高電圧小電流の交流を供給する。二次側コイル５１ｂに発生する低電圧高電流交流の極性が変わったとき、もしそれまで高温超電導スイッチ５３ａがオンで高温超電導スイッチ５３ｂがオフであったとすると、電流端子５４ｂの電流をゼロにして高温超電導スイッチ５３ｂをオンにし、反対に電流端子５４ａに電流を流して高温超電導スイッチ５３ａをオフにする。次に極性が変わった時には、同様の操作で高温超電導スイッチ５３ａをオンにして、高温超電導スイッチ５３ｂをオフにする。この動作を繰り返すことにより、高温超電導電磁石５２には常に永久電流５９が供給され、内装された力発生用高温超電導体５６に磁界が印加される。
【００５２】
この磁界の大きさが力発生用高温超電導体５６の下部臨界磁界Ｈｃｌを越えると、この磁界が力発生用高温超電導体５６の内部に侵入・ピン止めされ、着磁を起こすことができる。このまま永久電流が流れたままとし、バイアスとして磁界を印加し続けると、力発生用高温超電導体５６は現状の磁化状態が維持され、また発生力、特に吸引力の増強を図ることができる。
【００５３】
或いは、高温超電導スイッチ５３ａ，５３ｂを開放して永久電流５９をゼロにしても、力発生用高温超電導体５６の着磁状態はある程度維持される。更に、力発生用高温超電導体５６で浮上力、保持力、駆動力を発生させている間にも、磁束ポンプを駆動して永久電流を増減し、力発生用高温超電導体５６に印加する磁界を増減することにより、力発生用高温超電導体５６が発生する力や浮上時の安定位置を変化させることができる。
【００５４】
この実施例に使用した高温超電導スイッチ５３ａ，５３ｂは、必ずしも図３或いは図４に示した熱クエンチ式スイッチである必要はなく、磁界クエンチ式や機械的スイッチでも良いことは言及するまでもない。また、高温超電導変圧器５１の一次側コイル５１ａに供給するのは、正弦波交流でもよいし、パルス状交流でも良い。更に、力発生用高温超電導体５６や高温超電導電磁石５２の形状は、必ずしも図３に示すものに限定されることはなく、その変形は自由であることは言うまでもない。
【００５５】
図５は本発明の第３実施例を示す高温超電導体着磁装置の斜視図である。
この図に示すように、この実施例の高温超電導体着磁装置は、力発生用高温超電導体６１を有し、この力発生用高温超電導体６１は、保冷容器６２を有し、この保冷容器６２は内側容器６２ａと外側容器６２ｂ（各々、一部破断面で図示）で構成されている。
【００５６】
一方、高温超電導電磁石６３（一部破断面で図示）、高温超電導磁束導入部６５、両者をつなぐ高温超電導導体（図示せず）からなる励磁用磁束ポンプの保冷容器６４が設けられており、この保冷容器６４は、内側容器６４ａと外側容器６４ｂ（各々、一部破断面で図示）で構成されている。
そして、前記力発生用高温超電導体６１の保冷容器６２と、励磁用磁束ポンプの保冷容器６４とは独立しており、別々に冷却が可能となっている。
【００５７】
また、力発生用高温超電導体６１の保冷容器６２は、励磁用磁束ポンプの保冷容器６４内に位置する高温超電導電磁石６３の内側に配置される。各保冷容器６２，６４の内側容器６２ａ，６４ａ内には冷媒が満たされ、これら内側容器６２ａ，６４ａと外側容器６２ｂ，６４ｂとの間の隙間は真空断熱層となっている。なお、各保冷容器６２，６４への冷媒供給・排出口や真空引口、励磁用磁束ポンプの磁束導入部から出る駆動力導入機構や電流供給線等は省略している。
【００５８】
この実施例のように、力発生用高温超電導体６１と励磁回路の冷却を独立して行えるようにすることにより、力発生用高温超電導体６１を磁界中で冷却する、即ち磁場中冷却することができ、ゼロ磁場冷却に比べてより多くの磁束をピン止めさせることが可能になる。
【００５９】
これは、力発生用高温超電導体６１の発生力増強につながる。また、冷却後もバイアスとして磁界を印加し続けると、力発生用高温超電導体６１は現状の磁化状態が維持され、更なる発生力、特に吸引力の増強を図ることができる。あるいは、別途機構による超電導閉回路の開放などで永久電流をゼロにし、印加磁界をなくしても力発生用高温超電導体６１の着磁状態は大部分維持される。また、更に、力発生用高温超電導体６１で浮上力、保持力、駆動力を発生させている間にも、磁束ポンプを駆動して永久電流を増減し、力発生用高温超電導体６１に印加する磁界を増減することにより、力発生用高温超電導体６１が発生する力や浮上時の安定位置を変化させることができる。
【００６０】
図６は本発明の４実施例を示す高温超電導体着磁装置の斜視図である。
この図に示すように、力発生用高温超電導体７１は、保冷容器７２を有し、この保冷容器７２は内側容器７２ａと外側容器７２ｂ（各々、一部破断面で図示）で構成されている。
一方、高温超電導電磁石７３ａ，７３ｂ、高温超電導磁束導入部７５、両者をつなぐ高温超電導導体（省略）からなる励磁用磁束ポンプの保冷容器７４が設けられており、この保冷容器７４は、内側容器７４ａ外側容器７４ｂ（各々、一部破断面で図示）で構成されている。
【００６１】
そして、力発生用高温超電導体７１の保冷容器７２と、励磁用磁束ポンプの保冷容器７４とは独立しており、別々に冷却が可能となっている。
また、磁束ポンプの保冷容器７４内に位置する高温超電導電磁石７３ａ，７３ｂで挟まれた力発生用高温超電導体７１の保冷容器７２は、その位置から取外し可能となっている。各保冷容器７２，７４の内側容器７２ａ，７４ａ内には冷媒が満たされ、これら内側容器７２ａ，７４ａと外側容器７２ｂ，７４ｂとの間の隙間は真空断熱層となっている。なお、各保冷容器７２，７４への冷媒供給・排出口や真空引口、磁束ポンプの磁束導入部から出る駆動力導入機構や電流供給線等は省略している。
【００６２】
この実施例のように、力発生用高温超電導体７１と励磁回路の冷却を独立して行えるようにすることにより、力発生用高温超電導体７１を磁界中で冷却する、即ち磁場中冷却することができ、ゼロ磁場冷却に比べてより多くの磁束をピン止めさせることが可能になる。これは、力発生用高温超電導体７１の発生力増強につながる。また、力発生用高温超電導体７１と励磁回路を分離できる構造とすることにより、力発生用高温超電導体７１が汲み込まれる装置の小型計量化が可能となる。
【００６３】
上記第３及び第４実施例においても、励磁回路として使用する磁束ポンプは、周知の種々の構成を持つ物とすることができる。また、磁場印加対象である力発生用高温超電導体や、磁場発生用高温超電導電磁石も種々の形状に変化させることができる。
なお、本発明は上記実施例に限定されるものではなく、本発明の趣旨に基づいて種々の変形が可能であり、これらを本発明の範囲から排除するものではない。
【００６４】
【発明の効果】
以上、詳細に説明したように、本発明によれば、以下のような効果を奏することができる。
（Ａ）励磁回路である磁束ポンプを駆動することにより、励磁回路内の超電導電磁石の発生磁界、即ち高温超電導体に印加する磁界の大きさを自由に変えることができる。また、励磁回路が超電導閉ループを構成しているため磁界発生に伴う発熱は皆無に等しく、また磁束ポンプに駆動力を導入する、或いは電力を供給する場合も、室温部からの熱侵入を十分小さくすることができるため、高温超電導体の温度上昇を抑えることができる。
【００６５】
（Ｂ）超電導導体の電流密度が高いため、小型、巻数の少ない超電導電磁石でも強力な磁界を発生させることができ、高温超電導体を強力に着磁することができる。加えて、励磁回路内の電流は永久電流であり、減衰がほとんどないので、磁界を一定に保持する間は磁束ポンプを駆動、或いは電気エネルギーを供給する必要がない。
【００６６】
このように、高温超電導体に印加する磁界を、磁界発生源からの発熱を気にすることなく長期間保持でき、或いはこの磁界の大きさを任意に変化させることができるので、高温超電導体を着磁する場合、磁場中冷却法と、ゼロ磁場冷却後に磁界を印加する法のどちらにも対応することができる。
以上のように、本発明の実用的効果は著大である。
【図面の簡単な説明】
【図１】本発明の第１実施例を示す高温超電導体着磁装置の斜視図である。
【図２】図１に示した高温超電導体着磁装置の構成を説明するための回路図である。
【図３】本発明の第２実施例を示す高温超電導体着磁装置の斜視図である。
【図４】図３に示した高温超電導体着磁装置の基本動作を説明するための回路図である。
【図５】本発明の第３実施例を示す高温超電導体着磁装置の斜視図である。
【図６】本発明の４実施例を示す高温超電導体着磁装置の斜視図である。
【図７】磁束ポンプの一般的な動作原理を説明するための図である。
【図８】図７の原理を応用した発電型磁束ポンプの一例の動作原理図である。
【図９】発電型ポンプの別の例の動作原理図である。
【図１０】全波整流型磁束ポンプの一例の動作原理図である。
【符号の説明】
１    磁束ポンプ
２ａ，２ｂ，３３ａ，３３ｂ    超電導スイッチ
３    超電導電磁石
４    磁束
５    電流
１１，２１    超電導薄板
１２，２２，３２    超電導電磁石
１３，２３    超電導導体
１４    磁界発生用棒磁石
１５    常電導領域（ノーマルスポット）
２４    磁界発生用電磁石
２５    整流器
３１ａ    一次側コイル
３１ｂ    二次側コイル
３１    超電導変圧器
３４    交流電源
３５    直流電源
３６    電源部分
４１    高温超電導体薄板
４１ａ，４１ｂ，５３ａ，５３ｂ    高温超電導スイッチ
４２，５２，６３，７３ａ，７３ｂ    高温超電導電磁石
４３，５５    高温超電導導体
４４    磁界発生用永久磁石
４５    常電導領域
４６，５６，６１，７１    力発生用高温超電導体
４７    回転機構
４８，５９    永久電流
５１    高温超電導変圧器
５１ａ    一次側コイル
５１ｂ    二次側コイル
５１ｃ    電源端子
５４ａ，５４ｂ    電流端子
５７    非磁性絶縁体製巻枠
５８    高抵抗発熱体
６２，７２    力発生用高温超電導体の保冷容器
６２ａ，７２ａ    内側容器
６２ｂ，７２ｂ    外側容器
６４，７４    励磁用磁束ポンプの保冷容器
６４ａ，７４ａ    内側容器
６４ｂ，７４ｂ    外側容器
６５，７５    高温超電導磁束導入部
【図１】
0003660007.tif 000002
【図２】
0003660007.tif 000003
【図３】
0003660007.tif 000004
【図４】
0003660007.tif 000005
【図５】
0003660007.tif 000006
【図６】
0003660007.tif 000007
【図７】
0003660007.tif 000008
【図８】
0003660007.tif 000009
【図９】
0003660007.tif 000010
【図１０】
0003660007.tif 000011